(57)【要約】 【課題】スラブの軽量化を図りつつ、振動性能に優れたコンクリートボイドスラブを提供する。【解決手段】上端筋２と下端筋３の格子状小空間Ｓ内に発泡樹脂製ボイド型枠４０を配置した二方向コンクリートボイドスラブである。ボイド型枠は、予め、複数の大きさ・形状の異なる軽量ボイドを用意し、小空間Ｓ内に、その小空間Ｓに収まる大きさ・形状の内、用意した最も大きなボイド型枠を配置する。このようにすれば、各小空間には、スラブの断面剛性を維持し得る限りにおいて、スラブの重量を最も軽量化し得るボイド型枠を配置し得る。このため、スラブの軽量化を図ることができる。また、スラブ端部の小空間を小さくし、その小空間に小さなボイド型枠を配置すれば、スラブ端部はそのコンクリート量がスラブ中央部に比べて多くなってコンクリート断面が増すため、スラブの上下面をフラットに保ったままで、実質的にアーチ状のスラブを形成でき、振動性能及び撓み性能が向上する。【選択図】図１
2015108273.tif 000002
【特許請求の範囲】
【請求項１】
格子状の上端筋（２）と同じく格子状下端筋（３）が上下に間隔をもって並行に設けられ、その上端筋（２）と下端筋（３）の間に軽量ボイド型枠（４０）が配置されて、コンクリート（Ｃ）が打設されたコンクリートボイドスラブにおいて、
上記ボイド型枠（４０）は、その大きさ・形状の異なる物が複数用意されて、上記上端筋（２）と下端筋（３）とからなる格子状小空間（Ｓ）内に、前記用意されたボイド型枠（４０）の内、この小空間（Ｓ）に収まる最も大きい物を配置したことを特徴とするコンクリートボイドスラブ。
【請求項２】
上記小空間（Ｓ）は、上記２方向の少なくとも１方向の長さが同一とされ、上記複数用意されたボイド型枠（４０）は、前記小空間（Ｓ）の同一の長さに対応する部分の長さが同一とされたことを特徴とする請求項１に記載のコンクリートボイドスラブ。
【請求項３】
スラブ端部のコンクリート量を、スラブ中央部に比べて多くしたことを特徴とする請求項１又は２に記載のコンクリートボイドスラブ。
【請求項４】
上記ボイド型枠（４０）は、平面視、四角状を呈して４側面（４２ａ、４２ｂ、４２ｃ、４２ｄ）を有し、上下面（４１ａ、４１ｂ）から前記各側面に向けて外向き傾斜面（４３ａ、４３ｂ）となっていることを特徴とする請求項１乃至３の何れか１つに記載のコンクリートボイドスラブ。
【請求項５】
上記ボイド型枠（４０）の下面（４１ｂ）は、補助筋（５）を受け入れる十字状の溝（４４ｂ）を有すると共に、中央部に向かって傾斜面となっていることを特徴とする請求項１乃至４の何れか１つに記載のコンクリートボイドスラブ。
【請求項６】
請求項１乃至５の何れか１つに記載のコンクリートボイドスラブの構築方法であって、床型枠（１）の上に、上記上端筋（２）と下端筋（３）を格子状に配置し、その格子状各小空間（Ｓ）内に、上記用意された大きさ・形状の異なるボイド型枠（４０）の内、前記各小空間（Ｓ）に収まる最も大きい物を配置した後、コンクリート（Ｃ）を打設することを特徴とするコンクリートボイドスラブの構築方法。
【発明の詳細な説明】
【技術分野】
【０００１】
この発明は、上下端筋間に軽量ボイド型枠を配置したコンクリートボイドスラブ及びその構築方法に関するものである。
【背景技術】
【０００２】
この種のコンクリートボイドスラブとして、例えば、図９に示すように、床型枠１に、上端筋２を格子状に配置するとともに、下端筋３を同じく格子状に配置し、その格子状小空間Ｓ内に発泡樹脂などからなる軽量ボイド型枠（埋込材）４を配置して、コンクリートＣを打設した構造のものがある（特許文献１図１、特許文献２図５参照）。
このコンクリートボイドスラブは、ＲＣ（Reinforced-Concrete）造建築物の床版として構築され、軽量ボイド型枠４の埋込によってスラブの断面剛性を維持しつつスラブを軽量にする。
【先行技術文献】
【特許文献】
【０００３】
【特許文献１】特開平９−２５０１９６号公報
【特許文献２】特開２００６−９３６３号公報
【発明の概要】
【発明が解決しようとする課題】
【０００４】
従来のコンクリートボイドスラブの上記小空間Ｓには、単一（同一大きさ・形状）のボイド型枠４を配置していた。このため、そのボイド型枠４が配置できない（入れない）小空間Ｓはボイド型枠４が配置されず、その小空間Ｓ内にはコンクリートＣが全域に打設されることとなる。ボイド型枠４を配置してもスラブの断面剛性を維持し得るにも拘わらず、ボイド型枠４を配置しないことは、スラブが重くなることであり、建築物全体が重くなることであって、その強度面で不利となる．
【０００５】
この発明は、以上の実状の下、スラブの軽量化を図りながら、振動性能に優れたコンクリートボイドスラブを提供することを課題とする。
【課題を解決するための手段】
【０００６】
上記課題を達成するため、この発明は、予め、複数の大きさ・形状の異なる軽量ボイド型枠を用意し、上記小空間Ｓ内に、その小空間Ｓに収まる大きさ・形状の内、前記用意した最も大きなボイド型枠を配置することとしたのである。
このようにすれば、各小空間には、スラブの断面剛性を維持し得る限りにおいて、スラブの重量を最も軽量化し得るボイド型枠を配置し得ることとなる。なお、軽量とは、コンクリートよりも密度が低い（重量が軽い）ことを言う。
【０００７】
この発明の具体的構成としては、格子状の上端筋と同じく格子状下端筋が上下に間隔をもって並行に設けられ、その上端筋と下端筋の間に軽量ボイド型枠が配置されて、コンクリートが打設されたコンクリートボイドスラブにおいて、前記ボイド型枠は、その大きさ・形状の異なる物が複数用意されて、前記上端筋と下端筋とからなる格子状小空間内に、前記用意されたボイド型枠の内、この小空間に収まる最も大きい物を配置した構成を採用することができる。
【０００８】
この構成において、上記小空間は、スラブの平面視の前後左右方向の内の少なくとも１方向（例えば、左右方向）の長さが同一とされ、上記複数用意されたボイドは、前記小空間の同一の長さに対応する部分の長さが同一とされたものとすることができる。
このようにすれば、ボイド型枠の他方の長さ（幅）だけを変えれば、全ての小空間に配置できるボイド型枠とすることができるため、ボイド型枠の準備（用意）が容易となる。また、各小空間の幅に対応するボイド型枠を選択することによって各小空間に対応するボイド型枠を適宜に選択して配置できるため、スラブを設計する上で、上端筋と下端筋の鉄筋本数の制限などがなくなり、鉄筋径とその本数の選択に自由度が増すと共に、ボイド型枠が配置されない小空間が極力少なくなるため、経済的な設計が可能となる。
【０００９】
また、スラブ端部の上記小空間を小さくし、その小空間に小さなボイド型枠を配置することによって、スラブ端部のコンクリート量がスラブ中央部に比べて多くなって、端部のコンクリート断面を増すことができる。このため、スラブの上下面をフラット（平面）に保ったままで、実質的にアーチ状のスラブを形成でき、振動性能及び撓み性能が向上したものとなる。例えば、集合住宅等において、下階に対する床衝撃音が問題になる場合、端部を含めてその箇所の小空間に小さめの軽量ボイド型枠を一律に埋め込む。このように、コンクリート密度を部分的に大きくすることによって、振動性能が要求される箇所、例えば、リビング等の床衝撃音要求性能（振動要求性能）を満足させることができる。
【００１０】
上記ボイド型枠の形状としては、従来から種々のものが提案されており、それらを使用することができるが、例えば、平面視、四角状を呈して４側面を有し、上下面から前記各側面に向けて外向き傾斜面となっている形状を採用することができる。
このようにすれば、上記傾斜面によって、ボイド型枠の側面中央部付近の鉄筋締結作業が行い易くなる。また、平面視（上から見た場合）、四角形であると、格子状の小空間も同四角状であるため、その小空間に軽量ボイド型枠を最低限の隙間で配置することができ、このため、その小空間に打設するコンクリートの量を最小限とすることができて、スラブ重量の軽量化を図ることが容易となる。
【００１１】
また、上記ボイド型枠の下面は、補助筋を受け入れる十字状の溝を有すると共に、長手方向中央外側（下側）に向かって水平面を有さない傾斜面となっているものとすることができる。下面をこのような形状とすれば、下面が水平面を有さず、その傾斜面からボイド型枠の下面にコンクリートが円滑に回り込むため、コンクリート打設不良が抑制できる。また、補助筋上にボイド型枠をラフに乗せ、軽く上から押せば（荷重をかければ）、傾斜面に沿って補助筋を溝に誘導させることができ、施工が容易となる。傾斜面は直線状（フラット傾斜面）でも曲線状（曲面）でも良い。
【００１２】
上記スラブは、従来と同様の施工（構築）方法によって行えば良いが、例えば、床型枠の上に、上記上端筋と下端筋を格子状に配置し、その格子状各小空間内に、上記用意された大きさ・形状の異なるボイド型枠の内、各小空間に収まる最も大きい物を配置した後、コンクリートＣを打設することができる。
【発明の効果】
【００１３】
この発明は、以上のように構成し、スラブの断面剛性を維持し得る限りにおいて、スラブの重量を最も軽量化し得るようにしたので、スラブの軽量化を図りながら、振動性能に優れたコンクリートボイドスラブとすることができる。
【図面の簡単な説明】
【００１４】
【図１】一実施形態の概略斜視図
【図２】同実施形態を示し、（ａ）は切断部分正面図、（ｂ）は部分平面図
【図３】同実施形態の軽量ボイド型枠の一例を示し、（ａ）は斜視図、（ｂ）は正面図、（ｂ）は側面図
【図４】同実施形態の軽量ボイド型枠の他例を示し、（ａ）は平面図、（ｂ）は正面図、（ｂ）は側面図
【図５】同実施形態の軽量ボイド型枠のさらに他例を示し、（ａ）は平面図、（ｂ）は正面図、（ｂ）は側面図
【図６】同実施形態の軽量ボイド型枠のさらに他例を示し、（ａ）は平面図、（ｂ）は正面図、（ｂ）は側面図
【図７】同実施形態の軽量ボイド型枠のさらに他例を示し、（ａ）は平面図、（ｂ）は正面図、（ｂ）は側面図
【図８】同実施形態の軽量ボイド型枠のさらに他例を示し、（ａ）は平面図、（ｂ）は正面図、（ｂ）は側面図
【図９】従来の軽量ボイド型枠配置説明用概略斜視図
【発明を実施するための形態】
【００１５】
この発明の一実施形態は、従来と同様に、図１、図２に示すように、床型枠１に、格子状の上端筋２と同じく格子状下端筋３が上下に間隔をもって並行に設けられ、その上端筋２と下端筋３の間に軽量ボイド型枠４０が配置されて、コンクリートＣが打設されたコンクリートボイドスラブである。
このコンクリートボイドスラブにおいて、図３〜図８に示すボイド型枠４０ａ、４０ｂ、４０ｃ、４０ｄ、４０ｅ、４０ｆ（以下、総称符号：４０）がその格子状の上端筋２と格子状の下端筋３で形成された小空間Ｓ内に適宜に配置される。ボイド型枠４０の材質は、従来と同様な軽量な物を適宜に使用すれば良いが、例えば、発泡スチロールとする。
【００１６】
このボイド型枠４０は、図３等に示すように、上下面４１ａ、４１ｂと側面４２ａ、４２ｂ、４２ｃ、４２ｄを有し、４方からの側面視が全てほぼ八角形となっており、平面視（上から見ると）、長方形を呈する。
上下面４１ａ、４１ｂは平面視で両端がカットされた楕円形で、各側面４２ａ、４２ｂ、４２ｃ、４２ｄとは傾斜面４３ａ、４３ｂで連結されている。このように、４方からの側面視が全て八角形、平面視、両端がカットされた楕円形、傾斜面４３ａ、４３ｂとなっていることによって、このボイド型枠４０は、正面視、楕円や、辺と円弧からなるほぼフラットオーバル形と言うことができる。
【００１７】
また、上下面４１ａ、４１ｂには、固定用の補助筋５を受け入れる溝４４ａ、４４ｂが形成されている。下面４１ｂの溝４４ｂは十字状となっている。その下面４１ｂは、中央部が水平面となっているが、長手方向の溝４４ａに沿って中央部が徐々に盛り上がって水平面を有さずに上記傾斜面４３ｂに連結する曲面（縦断面下縁が曲線）とすることができる。このとき、その曲面はフラット斜面（縦断面下縁が直線）とすることもできる。
【００１８】
軽量ボイド型枠４０の長さＬ、同幅Ｗ、同高さＨ（図３等参照）は、上記小空間Ｓ内にちょうど収まる程度とする。そのため、配置する箇所の鉄筋量が多い場合は、その分、小空間Ｓも小さくなるため、その長さ、幅を小さくしたボイド型枠４０を使用する。
例えば、図３に示すボイド型枠４０ａ：正面左右長さＬ＝３８０ｍｍ、平面幅Ｗ＝２３０ｍｍ、高さＨ＝２４５ｍｍ、図４に示すボイド型枠４０ｂ：同Ｌ＝３４０ｍｍ、同Ｗ＝１９０ｍｍ、同Ｈ＝１５０ｍｍ、図５に示すボイド型枠４０ｃ：同Ｌ＝３００ｍｍ、同Ｗ＝１９０ｍｍ、同Ｈ＝１５０ｍｍ、図６に示すボイド型枠４０ｄ：同Ｌ＝３８０ｍｍ、同Ｗ＝２３０ｍｍ、同Ｈ＝１５０ｍｍ、図７に示すボイド型枠４０ｅ：同Ｌ＝３００ｍｍ、同Ｗ＝１９０ｍｍ、同Ｈ＝２４５ｍｍ、図８に示すボイド型枠４０ｆ：同Ｌ＝３４０ｍｍ、同Ｗ＝１９０ｍｍ、同Ｈ＝２４５ｍｍ等を使用する。
【００１９】
つぎに、このボイド型枠４０を使用したコンクリートボイドスラブの施工方法について説明する。
まず、従来と同様に、床型枠１に、上端筋２を格子状に配置するとともに、下端筋３を同じく格子状に配置する。このとき、スラブ応力が大きくなる箇所、例えば、スラブ端部（梁際）には、上端筋２の量を増やして配筋する。鉄筋（上下筋２、３）同士は所定の間隔を開ける必要があるため、上端筋２の量を増やした箇所（端部）だけ、ボイド型枠４０の配置スペース（小空間Ｓ）が小さくなる（空間Ｓの幅が小さくなる）。
つぎに、下端筋３間に十字状に補助筋５を配置し、その上にボイド型枠４０を載せ、溝４４ｂに補助筋５が入り込むようにする。このとき、ボイド型枠４０の下面は全周囲が中央部に向かって盛り上がる傾斜面４３ｂとなっているため、軽く上から押せば（荷重をかければ）、その傾斜面４３ｂに沿って補助筋５を溝４４ｂに誘導させることができる。
【００２０】
さらに、ボイド型枠４０の上面の溝４４ａに入り込むように補助筋５を配置し、その補助筋５をＵ字フック（図示せず）でもって床型枠１に固定する。このとき、ボイド型枠４０の上面縁に傾斜面４３ａがあるため、その補助筋５やＵ字フックの作業にボイド型枠４０が邪魔とならない。特に、この補助筋５の結束は、上端筋２（配力筋）で構成される小空間Ｓの中央部で行われるため、この部分の作業スペースが確保されれば良いが、傾斜面４３ａの存在によってその作業スペースは確保される。
上端筋２、下端筋３、補助筋５は、針金などによって相互に結束しても良く、上記Ｕ字フック等の支持部材（図示せず）によって床型枠１に支持する（特許文献２図４等参照）。
【００２１】
以上の配筋２、３、５及びボイド型枠４０の配置が完了すれば、床型枠１上にコンクリートＣを打設する。このとき、ボイド型枠４０の下面周囲は外側から中央部に向かって上り傾斜面４３ｂとなっているため、コンクリートＣはそのボイド型枠４０下面内に円滑に入り込み（回り込み）、打設不良が生じる恐れは少ない。
このような配筋２、３、５及びボイド型枠４０の配置とすれば、梁際だけ、コンクリート断面が増えるため、その打設コンクリート層（スラブ）の上下面をフラットに保ったまま、実質的にアーチ状のスラブを形成することができる。このアーチ状によって、スラブの振動性能、たわみ性能が向上する。
【００２２】
なお、上記実施形態は上端筋２、下端筋３の配置、本数、補強筋５の配置、数、ボイド型枠４０の大きさ、形状等の各一例であり、この発明は、１方向コンクリートスラブ又は２方向コンクリートスラブのどちらにおいても採用できることは勿論である。このため、今回開示された実施の形態はすべての点で例示であって制限的なものではないと考えられるべきであり、この発明の範囲は、特許請求の範囲によって示され、特許請求の範囲と均等の意味および範囲内でのすべての変更が含まれることが意図されることは勿論である。
【符号の説明】
【００２３】
１  床型枠
２  上端筋
３  下端筋
４、４０、４０ａ、４０ｂ、４０ｃ、４０ｄ、４０ｅ、４０ｆ  ボイド型枠
５  補助筋
４１ａ  ボイド型枠上面  
４１ｂ  ボイド型枠下面
４２ａ、４２ｂ、４２ｃ、４２ｄ  ボイド型枠側面
４３ａ、４３ｂ  ボイド型枠傾斜面
４４ａ、４４ｂ  補助筋用溝
Ｃ  コンクリート
Ｓ  格子状小空間
【図１】
2015108273.tif 000003
【図２】
2015108273.tif 000004
【図３】
2015108273.tif 000005
【図４】
2015108273.tif 000006
【図５】
2015108273.tif 000007
【図６】
2015108273.tif 000008
【図７】
2015108273.tif 000009
【図８】
2015108273.tif 000010
【図９】
2015108273.tif 000011